(57)【要約】【課題】  通常、ズボンのベルトは、腰骨の上部３センチ程のところを締めている。締めた位置から下部は、ウエストのくびれであり、何も障害物がない。時間の経過によりズボンは腰骨まで、徐徐にずれ落ちズボンの折り目は曲折していた。【解決手段】  補助ベルトは、腰骨のすぐ上部に巻きつける。補助ベルトには、溝形成部材を持ったストッパープレートが複数配置されている。ズボンを穿く時、ズボンをやや持ち上げ気味にして、ベルトを補助ベルトの溝形成部材とストッパープレートの間の凹溝部に入り込ませるように穿く。ズボンは、補助ベルトに阻止され、時間が経過してもずれ落ちることはない。スーツ等着用の際、ズボンの折り目は曲折がなく、脚が長く美しく引き締まって見える。【選択図】図４
2012077428.tif 000002
【特許請求の範囲】
【請求項１】
使用者の腰部に巻き付けられて装着されるベルト本体に対し、その長手方向の複数位置にベルトストッパーが形成され、前記ベルトストッパーは、前記ベルト本体に対し重ね合わせた所定厚みの溝形成部材と、この溝形成部材の外側に重ね合わせたストッパープレートとが前記ベルト本体に固定され、前記ストッパープレートの上端縁が前記溝形成部材の上端よりも突出されて凸部が形成され、この凸部と前記使用者の腰部との間に前記溝形成部材の厚みに相当する凹溝部分が形成され、この凹溝部分に前記使用者のズボンのベルトが上から入り込むように構成されていることを特徴とするズボンのずれ落ち防止用の補助ベルト。
【請求項２】
使用者の腰部に巻き付けられて装着されるベルト本体に対し、その長手方向の複数位置にベルトストッパーが形成され、前記ベルトストッパーは、外面側部分の上端縁が内面側部分の上端縁よりも突出されて凸部が形成され、この凸部と前記使用者の腰部との間に前記内面側部分の上端縁を溝底とする凹溝部分が形成され、この凹溝部分に前記使用者のズボンのベルトが上から入り込むように構成されいぇいることを特徴とするズボンのずれ落ち防止用の補助ベルト。
【発明の詳細な説明】
【技術分野】
【０００１】本発明は、ズボンのずれ落ちを防止するため、通常のベルトとは別にもう一本、補助ベルトを加えるものに関するものである。
【背景技術】
【０００２】従来、ズボンは、機能的デザインもあって一本のベルトでずれ落ちを防いでいた。【０００３】特許文献１では、ズボンのずれ落ちを防止するために、所定長さの平ゴムの両端に、それぞれ器具を取り付け、両側の器具でズボンの上端縁の２ヶ所を挟み付けて、ズボンの上端縁の一部を締め付けるようにしたものが開示されている。
【先行技術文献】
【特許文献】
【０００４】
【特許文献１】特開平０８−１０９５０６号広報
【発明の概要】
【発明が解決しようとする課題】
【０００５】通常、ズボンのベルトは、腰骨の上部３センチのところを締めている、その下部はウエストのくびれがあり、障害物がなにもないため、僅かな時間の経過で、ズボンは腰骨のところまでずれ落ちていた、この欠点を補助ベルトにより解決しようとするものである。
【課題を解決するための手段】
【０００６】ズボンのずれ落ち防止用の補助ベルトとして、使用者の腰部に巻き付けられて装着されるベルト本体に対し、その長手方向の複数位置にベルトストッパーが形成され、前記ベルトストッパーは、前記ベルト本体に対し重ね合わせた所定厚みの溝形成部材と、この溝形成部材の外側に重ね合わせたストッパープレートとが、前記ベルト本体に固定され、前記ストッパープレートの上端縁が前記溝形成部材の上端よりも、所定量突出されて凸部が形成され、この凸部と前記使用者の腰部との間に前記溝形成部材の厚みに相当する凹溝部分が形成され、この凹溝部分に前記使用者のズボンのベルトが上から入り込むように構成した。
本発明の使用に際しては、ワイシャツ等の上から、補助ベルトを腰骨のすぐ上部にセットする、ズボンを穿く時、やや持ち上げ気味にして、ベルトを補助ベルトの凹溝部分に上から入り込んだ状態にしてベルトを締める。ズボンのベルトは補助ベルトにより下への移動が阻止されるためズボンがずれ落ちることはない。
【発明の効果】
【０００７】ズボンがずれ落ちないため、服装全体が引き締まり、スーツ等着用の場合、ズボンの折り目のラインが曲折することなく、脚を長く美しく見せる。一度セットしたらオフイスの椅子で、百回立ち居を繰り返してもズボンがずれ落ちることはない。
【図面の簡単な説明】
【０００８】
【図１】本発明の補助ベルトを外側から見た平面図である。
【図２】図１の補助ベルトを内側から見た平面図である。
【図３】図１のＡ−Ａ断面における補助ベルトの拡大断面図である。
【図４】補助ベルトの斜視図である。
【図５】使用例を示す部分斜視図である。
【図６】図５のＰ部拡大断面図である
【発明を実施するための形態】
【０００９】本発明の補助ベルトは、図１、図２に示すように一本のベルト本体１に、複数のストッパープレート３，３を配置したものである、図面には２つのストッパープレート３，３を設けた例を示すが３つ以上設けてもよい。
ベルト本体１とストッパープレート３の間には、ズボンのベルトＢ（図６参照）を保持するため、図３、図４に示すように、やや厚めの溝形成部材２を挟み込みリベット４でとめている、各ストッパープレート３は、ベルト本体１及び溝形成部材２よりも上方に所定量突出させて凸部３１を形成するようになっている。補助ベルトを後述のごとく使用者の上衣（例えば図５に示すワイシャツＹ）の上から巻きつけた場合に、その上衣Ｙと凸部３１との間にベルト本体１及び溝形成部材２によって上向きに開放された凹溝部分（図６参照）が形成されるようにしている。
【００１０】図１、図２又は図４に示すように、両端に長めの面ファスナー５，６を着け補助ベルトを使用者の上衣に対し外側から巻きつけて連結可能にしている、この連結のために面ファスナー５，６を使うことで、ある程度のサイズに対応できるようにしている。
【００１１】使用に際しては、図５に示すように例えばワイシャツＹ等の上衣の上からストッパープレート３，３の凸部３１，３１を上にして、腰骨のすぐ上部のウエストのくびれた部分に面ファスナー５，６によって装着する。
ズボンを穿く時、ズボンＴをやや持ち上げ気味にした後にワイシャツＹの表面に沿って下げることにより、図６に示すようにベルトＢが補助ベルトのストッパープレート３の凸部３１とワイシャツＹとの間の凹溝部分に上から入り込んだ状態にし、この状態でベルトＢを締め付ける。
【００１２】これにより、ズボンＴの生地は、ベルトＢの内側から折り返されて屈曲し、凸部３１を乗り越えて下に延びるようになる。一方、ズボンＴのベルトＢは、補助ベルトのストッパープレート３により形成される凹溝部分に入り込んで、下方への移動が規制されることになる。このため、ズボンＴがずれ落ちることはない。
【０００１３】なお、ベルトスットパーとして、前記の溝形成部材２と、ストッパープレート３とを一体にしたもので構成してもよい。例えば図７，図８に示すように、樹脂成形品により構成したベルトストッパー７として、外面側部分の上端縁７１を内面側部分の上端縁７２よりも上方に突出させて凸部を形成し、この凸部と使用者のワイシャツとの間に内面側部分の上端縁７２を溝底とする凹溝部分が形成されるようにすればよい。
【符号の説明】
【０００１４】    １  ベルト本体
２  溝形成部材
３  ストッパープレート
４  ストッパープレートのリベット
５  面ファスナー
６  面ファスナー
３１  スットパープレートの凸部
７  ベルトストッパー
７１  外面側部分の上端縁（凸部）
７２  内面側部分の上端縁
Ｙ  上衣（ワイシャツ）
Ｂ  ベルト
Ｔ  ズボン
【図１】
2012077428.tif 000003
【図２】
2012077428.tif 000004
【図３】
2012077428.tif 000005
【図４】
2012077428.tif 000006
【図５】
2012077428.tif 000007
【図６】
2012077428.tif 000008
【図７】
2012077428.tif 000009
【図８】
2012077428.tif 000010
【手続補正書】
【提出日】平成22年12月13日(2010.12.13)
【手続補正２】
【補正対象書類名】明細書
【補正対象項目名】０００８
【補正方法】変更
【補正の内容】
【０００８】
【図１】本発明の補助ベルトを外側から見た平面図である。
【図２】図１の補助ベルトを内側から見た平面図である。
【図３】図１のＡ−Ａ断面における補助ベルトの拡大断面図である。
【図４】補助ベルトの斜視図である。
【図５】使用例を示す部分斜視図である。
【図６】図５のＰ部拡大断面図である。
【図７】他の実施形態のベルトストッパーを側面方向から見た説明図である。
【図８】図７のベルトストッパーを斜視図状態にして示す説明図である。